(57)【要約】【課題】表示部に表示される入力画像との位置関係を把握しつつ所望の操作制限範囲を容易に設定可能なタッチパネル表示装置、タッチパネル制御方法、及びタッチパネル制御プログラムを提供する。【解決手段】タッチパネル表示装置（１）は、表示部（１２）と、表示部（１２）に対するタッチ操作を検出可能なタッチパネル（１１１）と、表示部（１２）に入力画像が表示されている状態で表示部（１２）の表示画面（Ａ０）の一部又は全体に特定画像（Ａ３）を表示可能な表示処理部（１３１）と、特定画像（Ａ３）に対するタッチ操作に応じて操作制限範囲を設定可能な設定処理部（１３２）と、タッチパネル（１１１）により検出されるタッチ操作の位置が前記操作制限範囲内であるか否かに応じて当該タッチ操作の位置に対応する操作情報の外部装置（２）への出力有無を切り替え可能な制限処理部（１１２）と、を備える。【選択図】図１
2019087187.tif 000002
【特許請求の範囲】
【請求項１】
表示部と、
前記表示部に対するタッチ操作の位置を検出可能なタッチパネルと、
前記表示部に入力画像が表示されている状態で当該表示部の表示画面の一部又は全体に予め設定された特定画像を重ねてＯＳＤ（Ｏｎ  Ｓｃｒｅｅｎ  Ｄｉｓｐｌａｙ）画像として表示可能な表示処理部と、
前記特定画像に対するタッチ操作に応じて操作制限範囲を設定可能な設定処理部と、
前記タッチパネルにより検出されるタッチ操作の位置が前記操作制限範囲内であるか否かに応じて当該タッチ操作の位置に対応する操作情報の外部装置への出力有無を切り替え可能な制限処理部と、
を備えるタッチパネル表示装置。
【請求項２】
前記表示処理部は、前記特定画像をＯＳＤ（Ｏｎ  Ｓｃｒｅｅｎ  Ｄｉｓｐｌａｙ）画像として表示させる、
請求項１に記載のタッチパネル表示装置。
【請求項３】
前記操作制限範囲は、タッチ操作に対応する前記操作情報を出力する操作有効範囲であり、
前記制限処理部が、前記タッチパネルにより検出されるタッチ操作の位置が前記操作有効範囲内である場合に前記操作情報を出力し、前記操作有効範囲外である場合に前記操作情報を出力しない、
請求項１又は２に記載のタッチパネル表示装置。
【請求項４】
前記表示処理部は、前記設定処理部による前記操作制限範囲の設定後、前記操作制限範囲よりも特定量だけ広い範囲を示す範囲操作用画像を前記表示部に表示可能であり、
前記設定処理部は、前記範囲操作用画像に対する操作に応じて前記操作制限範囲を変更可能である、
請求項３に記載のタッチパネル表示装置。
【請求項５】
前記設定処理部は、前記表示部に表示されている入力画像の表示サイズ又は表示の向きの変更操作に追従して前記操作制限範囲を変更する、
請求項１〜４のいずれかに記載のタッチパネル表示装置。
【請求項６】
前記設定処理部は、前記操作制限範囲として、前記表示部の表示内容に関する操作を制限対象とする第１操作制限範囲と、前記表示部に対する描画操作を制限対象とする第２操作制限範囲とを選択的に設定可能であり、
前記設定処理部は、前記表示部に表示されている入力画像の表示サイズ又は表示の向きの変更操作に追従して、前記操作制限範囲のうち前記第２操作制限範囲を変更し前記第１操作制限範囲は変更しない、
請求項５に記載のタッチパネル表示装置。
【請求項７】
前記設定処理部は、前記表示部に表示されている入力画像のスクロール操作又は移動操作に追従して前記操作制限範囲を変更する、
請求項１〜６のいずれかに記載のタッチパネル表示装置。
【請求項８】
前記設定処理部と前記表示処理部と前記タッチパネルにより検出されるタッチ操作の位置が前記操作制限範囲内であるか否かを判定する制限判定処理部とを含む制御部と、
前記タッチパネルと前記制限処理部とを含むタッチパネル部と、
を備え、
前記制限処理部は、前記タッチパネルにより検出されるタッチ操作に対応する前記操作情報を前記制限判定処理部に入力し、前記制限判定処理部から入力される判定結果に応じて、当該タッチ操作の位置に対応する前記操作情報の外部装置への出力有無を切り替える、
請求項１〜７のいずれかに記載のタッチパネル表示装置。
【請求項９】
表示部と前記表示部に対するタッチ操作の位置を検出可能なタッチパネルとを備えるタッチパネル表示装置で実行されるタッチパネル制御方法であって、
前記表示部に入力画像が表示されている状態で当該表示部の表示画面の一部又は全体に特定画像を表示するステップと、
前記特定画像に対するタッチ操作に応じて操作制限範囲を設定するステップと、
前記タッチパネルにより検出されるタッチ操作の位置が前記操作制限範囲内であるか否かに応じて当該タッチ操作の位置に対応する操作情報の外部装置への出力有無を切り替えるステップと、
を含むタッチパネル制御方法。
【請求項１０】
表示部と前記表示部に対するタッチ操作の位置を検出可能なタッチパネルとを備えるタッチパネル表示装置の制御部に、
前記表示部に入力画像が表示されている状態で当該表示部の表示画面の一部又は全体に特定画像を表示するステップと、
前記特定画像に対するタッチ操作に応じて操作制限範囲を設定するステップと、
前記タッチパネルにより検出されるタッチ操作の位置が前記操作制限範囲内であるか否かに応じて当該タッチ操作の位置に対応する操作情報の外部装置への出力有無を切り替えるステップと、
を実行させるためのタッチパネル制御プログラム。
【発明の詳細な説明】
【技術分野】
【０００１】
本発明は、表示部に対するタッチ操作を検出可能なタッチパネルを備えるタッチパネル表示装置に関する。
【背景技術】
【０００２】
一般に、表示部に対するタッチ操作を検出可能なタッチパネルを備え、タッチ操作の位置座標などの操作情報をコンピューター等に出力可能なタッチパネル表示装置が知られている。また、タッチパネル上の操作無効範囲を設定するための専用の設定画面が表示可能であり、前記設定画面におけるユーザー操作に応じて前記操作無効範囲が設定可能な技術が知られている（例えば特許文献１参照）。
【先行技術文献】
【特許文献】
【０００３】
【特許文献１】特開２００５−２７６１２０号公報
【発明の概要】
【発明が解決しようとする課題】
【０００４】
しかしながら、タッチパネル上の操作の有効性を制限する操作無効範囲を設定する際に専用の設定画面が表示される構成では、実際に表示部に表示される入力画像との位置関係を確認しながら操作制限範囲を設定することができないという問題がある。そのため、例えば契約書又は打合せ書類などのドキュメントデータに対応する入力画像が表示部に表示される場合に、ユーザーが、そのドキュメントデータにおける特定の領域を操作無効範囲又は操作有効範囲のような操作制限範囲として任意に設定することは困難である。
【０００５】
本発明の目的は、表示部に表示される入力画像との位置関係を把握しつつ所望の操作制限範囲を容易に設定可能なタッチパネル表示装置、タッチパネル制御方法、及びタッチパネル制御プログラムを提供することにある。
【課題を解決するための手段】
【０００６】
本発明に係るタッチパネル表示装置は、表示部と、前記表示部に対するタッチ操作の位置を検出可能なタッチパネルと、前記表示部に入力画像が表示されている状態で当該表示部の表示画面の一部又は全体に特定画像を表示可能な表示処理部と、前記特定画像に対するタッチ操作に応じて操作制限範囲を設定可能な設定処理部と、前記タッチパネルにより検出されるタッチ操作の位置が前記操作制限範囲内であるか否かに応じて当該タッチ操作の位置に対応する操作情報の外部装置への出力有無を切り替え可能な制限処理部と、を備える。
【０００７】
本発明に係るタッチパネル制御方法は、表示部と前記表示部に対するタッチ操作の位置を検出可能なタッチパネルとを備えるタッチパネル表示装置で実行されるタッチパネル制御方法であって、前記表示部に入力画像が表示されている状態で当該表示部の表示画面の一部又は全体に特定画像を表示するステップと、前記特定画像に対するタッチ操作に応じて操作制限範囲を設定するステップと、前記タッチパネルにより検出されるタッチ操作の位置が前記操作制限範囲内であるか否かに応じて当該タッチ操作の位置に対応する操作情報の外部装置への出力有無を切り替えるステップと、を含むタッチパネル制御方法である。
【０００８】
本発明に係るタッチパネル制御プログラムは、表示部と前記表示部に対するタッチ操作の位置を検出可能なタッチパネルとを備えるタッチパネル表示装置の制御部に、前記表示部に入力画像が表示されている状態で当該表示部の表示画面の一部又は全体に特定画像を表示するステップと、前記特定画像に対するタッチ操作に応じて操作制限範囲を設定するステップと、前記タッチパネルにより検出されるタッチ操作の位置が前記操作制限範囲内であるか否かに応じて当該タッチ操作の位置に対応する操作情報の外部装置への出力有無を切り替えるステップと、を実行させるためのタッチパネル制御プログラムである。
【発明の効果】
【０００９】
本発明によれば、表示部に表示される入力画像との位置関係を把握しつつ所望の操作制限範囲を容易に設定可能なタッチパネル表示装置、タッチパネル制御方法、及びタッチパネル制御プログラムが提供される。
【図面の簡単な説明】
【００１０】
【図１】図１は、本発明の実施形態に係るタッチパネル表示装置の構成を示すブロック図である。
【図２】図２は、本発明の実施形態に係るタッチパネル表示装置で実行される操作制限設定処理の手順の一例を示すフローチャートである。
【図３】図３は、本発明の実施形態に係るタッチパネル表示装置で実行されるタッチ操作処理の手順の一例を示すフローチャートである。
【図４】図４は、本発明の実施形態に係るタッチパネル表示装置で実行される表示変更制御処理の手順の一例を示すフローチャートである。
【図５】図５は、本発明の実施形態に係るタッチパネル表示装置における表示例を示す図である。
【図６】図６は、本発明の実施形態に係るタッチパネル表示装置における表示例を示す図である。
【図７】図７は、本発明の実施形態に係るタッチパネル表示装置における表示例を示す図である。
【図８】図８は、本発明の実施形態に係るタッチパネル表示装置における表示例を示す図である。
【図９】図９は、本発明の実施形態に係るタッチパネル表示装置における表示例を示す図である。
【図１０】図１０は、本発明の実施形態に係るタッチパネル表示装置における表示例を示す図である。
【図１１】図１１は、本発明の実施形態に係るタッチパネル表示装置における表示例を示す図である。
【発明を実施するための形態】
【００１１】
以下、添付図面を参照しながら本発明の実施の形態について説明し、本発明の理解に供する。なお、以下の実施の形態は、本発明を具体化した一例であって、本発明の技術的範囲を限定する性格のものではない。
【００１２】
図１に示すように、タッチパネル表示装置１は、タッチパネル部１１、表示部１２、及び制御部１３などを備える。また、タッチパネル表示装置１は、例えばＨＤＭＩ（登録商標）ケーブル又はＵＳＢケーブルなどの通信ケーブルを介してパーソナルコンピューターのような情報処理装置２に接続される。なお、情報処理装置２は、タッチパネル表示装置１に接続される外部装置の一例であって、タッチパネル表示装置１は、例えばタブレット端末又はスマートフォンなどの外部装置に搭載されて当該外部装置に接続されてもよい。
【００１３】
タッチパネル表示装置１は、情報処理装置２から入力される入力画像Ａ１（図５参照）
を表示すると共に、ユーザーによるタッチ操作の結果を情報処理装置２に出力することが可能である。例えば、タッチパネル表示装置１は、テーブル等に埋設される所謂テーブル型タッチディスプレイ、又は、複合商業施設などで用いられるマルチメディアディスプレイのように比較的大型（例えば３２インチ以上）のディスプレイである。
【００１４】
タッチパネル部１１は、表示部１２の前面に重ねて配置されるタッチパネル１１１と、制御部１３及び情報処理装置２各々との間で信号の送受信が可能なタッチコントローラー１１２とを含む。タッチコントローラー１１２は、ＭＰＵ、ＲＡＭ、及びＲＯＭ等を備えるプロセッサー、又は、ＡＳＩＣのような電子回路である。なお、制御部１３がタッチコントローラー１１２の機能を兼ねており、タッチコントローラー１１２が省略されることも他の実施形態として考えられる。
【００１５】
タッチパネル１１１は、表示部１２に対するユーザーの指又はタッチペンを用いたタッチ操作を検出すること可能である。なお、タッチパネル１１１によるタッチ操作の検出方式は、例えば抵抗膜方式、静電容量方式、赤外線遮断方式、赤外線カメラ方式、表面弾性波方式、又は電磁誘導方式などである。また、タッチパネル１１１によるタッチ操作の検出方式は、光を照射又は受光する専用の光入力ペンを用いたタッチ操作を検出する光入力方式であってもよい。
【００１６】
タッチコントローラー１１２は、表示部１２に対するタッチ操作がタッチパネル１１１で検出された場合に、そのタッチ操作の位置座標などの操作情報を制御部１３に入力する。なお、タッチコントローラー１１２は、タッチ操作の位置が予め設定可能な操作制限範囲の内外のいずれであるかに関係なく当該タッチ操作に対応する前記操作情報を制御部１３に入力する。さらに、タッチコントローラー１１２は、表示部１２にＯＳＤ画像が表示される場合、そのＯＳＤ画像に対するタッチ操作が行われた場合には、そのタッチ操作に対応する操作情報を制御部１３に入力するが、情報処理装置２には出力しない。
【００１７】
また、タッチコントローラー１１２は、前記通信ケーブルを介して情報処理装置２に操作情報を出力することが可能である。より具体的に、タッチコントローラー１１２は、タッチ操作の位置が前記操作制限範囲内である場合は前記操作情報を情報処理装置２に出力し、タッチ操作の位置が前記操作制限範囲外である場合には前記操作情報を情報処理装置２には出力しない。
【００１８】
即ち、本実施形態では、タッチコントローラー１１２が、タッチパネル１１１により検出されるタッチ操作の位置が前記操作制限範囲内であるか否かに応じて当該タッチ操作の位置に対応する操作情報の情報処理装置２への出力有無を切り替え可能な制限処理部の一例である。なお、制御部１３がタッチコントローラー１１２の機能を兼ねる場合には、当該制御部１３が制限処理部の一例として機能する。
【００１９】
また、本実施形態では、前記操作制限範囲が、タッチ操作に対応する前記操作情報が情報処理装置２に出力される操作有効範囲である場合を例に挙げて説明する。例えば、前記操作制限範囲は、予め設定された箇所のみにサイン又はメモが記載可能となるようにタッチ操作を制限する際に用いられる。一方、前記操作制限範囲は、タッチ操作に対応する前記操作情報が情報処理装置２に出力されない操作無効範囲であることも考えられる。また、前記操作制限範囲として前記操作制限範囲及び前記操作無効範囲を選択的に設定可能であってもよい。
【００２０】
表示部１２は、液晶パネル又は有機ＥＬパネルのような表示パネル、及び前記表示パネルを駆動させて画像を表示させるドライバ回路などを備える。なお、表示部１２による表示内容は、制御部１３によって制御される。また、表示部１２には、各種の音声信号を再
生可能なスピーカーが内蔵されていてもよい。
【００２１】
制御部１３は、ＭＰＵ、ＲＯＭ、及びＲＡＭなどの制御機器を有する。前記ＭＰＵは、各種の演算処理を実行するプロセッサーである。前記ＲＯＭは、前記ＭＰＵに各種の処理を実行させるためのタッチパネル制御プログラムなどの情報が予め記憶される不揮発性の記憶部である。また、制御部１３は、前記ＭＰＵによる各種情報の読み書きが可能であり、各種の設定情報の記憶などに用いられるＥＥＰＲＯＭ（登録商標）などの不揮発性の記憶部１３０を備える。前記ＲＡＭは、前記ＭＰＵによる各種情報の読み書きが可能な揮発性の記憶部であり、前記ＭＰＵが実行する各種の処理の一時記憶メモリー（作業領域）として使用される。
【００２２】
ところで、タッチパネル１１１上の操作の有効性を制限する操作制限範囲を設定する際に設定画面が表示される構成では、実際に表示部１２に表示される入力画像Ａ１との位置関係を確認しながら操作制限範囲を設定することができないという問題がある。そのため、例えば契約書又は打合せ書類などのドキュメントデータに対応する入力画像Ａ１が表示部１２に表示される場合に、ユーザーが、そのドキュメントデータにおける特定の領域を操作制限範囲として任意に設定することは困難である。これに対し、本実施形態に係るタッチパネル表示装置１では、以下に説明するように、表示部１２に表示される入力画像Ａ１との位置関係を把握しつつ所望の操作制限範囲を容易に設定することが可能である。
【００２３】
具体的に、制御部１３は、表示処理部１３１、設定処理部１３２、制限判定処理部１３３、及び信号処理部１３４などを含む。なお、制御部１３は、前記タッチパネル制御プログラムに従って、操作制限設定処理（図２参照）、タッチ操作処理（図３参照）、及び表示変更処理（図４参照）などの各種の処理を前記ＭＰＵで実行することにより各種の処理部として機能する。また、表示処理部１３１、設定処理部１３２、制限判定処理部１３３、及び信号処理部１３４の一部又は全部が電子回路で構成されていてもよい。なお、本発明は、制御部１３が前記タッチパネル制御プログラムに従って各種の処理手順（ステップ）を実行するタッチパネル制御方法の発明として捉えることも可能である。
【００２４】
表示処理部１３１は、図５に示されるように、情報処理装置２から入力される入力画像Ａ１を表示部１２の表示画面Ａ０に表示させるための処理を実行する。例えば、入力画像Ａ１は、契約書又は打ち合わせ資料のようなドキュメントデータに対応する画像である。なお、入力画像Ａ１は静止画像に限らず、例えば動画、音声付静止画、又は音声付動画などのコンテンツデータであってもよい。
【００２５】
より具体的に、表示処理部１３１は、図５に示されるように、入力画像Ａ１の全体が同時に表示画面Ａ０に表示されるように、当該表示画面Ａ０の縦方向及び横方向のサイズと入力画像Ａ１全体の縦方向及び横方向のサイズとに応じて入力画像Ａ１の表示サイズを決定する。例えば、制御部１３は、表示画面Ａ０の横方向のサイズに対する縦方向のサイズの比率よりも、入力画像Ａ１の横方向のサイズに対する縦方向のサイズの比率が大きい場合には、入力画像Ａ１の縦方向の全体が表示画面Ａ０に収まる倍率で入力画像Ａ１を表示させる。一方、表示処理部１３１は、表示画面Ａ０の縦方向のサイズに対する横方向のサイズの比率よりも、入力画像Ａ１の縦方向のサイズに対する横方向のサイズの比率が大きい場合には、入力画像Ａ１の横方向の全体が表示画面Ａ０に収まる倍率で入力画像Ａ１を表示させる。なお、表示処理部１３１は、入力画像Ａ１の中心と表示画面Ａ０の中心とを一致させた状態で入力画像Ａ１を表示画面Ａ０に表示させる。
【００２６】
また、表示処理部１３１は、情報処理装置２から入力されて表示部１２に表示される入力画像Ａ１に重ねて他の情報を表示させるＯＳＤ（Ｏｎ  Ｓｃｒｅｅｎ  Ｄｉｓｐｌａｙ）機能を備える。以下、ＯＳＤ機能により表示される画像をＯＳＤ画像ということがある
。具体的に、表示処理部１３１は、入力画像Ａ１とＯＳＤ画像とを合成して合成画像データを生成し、当該合成画像データを表示部１２に表示する。なお、ＯＳＤ機能により入力画像Ａ１にＯＳＤ画像がオーバーレイ表示される場合、ＯＳＤ画像の背景に表示される入力画像Ａ１も視認可能な状態である。
【００２７】
例えば、ＯＳＤ機能は、図５に示されるように、タッチパネル表示装置１に関する各種の設定を行うための操作キーＫ１〜Ｋ５を含むメニュー画像Ａ２がＯＳＤ画像として表示される際に用いられる。なお、ＯＳＤ画像が表示部１２に表示された場合には、その旨が表示処理部１３１からタッチコントローラー１１２に通知される。そして、タッチコントローラー１１２は、ＯＳＤ画像として表示されたメニュー画像Ａ２に対するタッチ操作が行われた場合、当該タッチ操作に対応する操作情報を制御部１３には入力するが、情報処理装置２には出力しない。なお、メニュー画像Ａ２のサイズ又は位置などの情報は、前記通知時に制御部１３からタッチコントローラー１１２に入力され、或いは、予めタッチコントローラー１１２に登録されている。
【００２８】
また、タッチパネル表示装置１では、表示処理部１３１が、タッチ操作の操作制限範囲が設定される際に、予め設定された特定画像Ａ３（図６参照）をＯＳＤ画像として表示部１２に表示中の入力画像Ａ１に重ねて表示部１２の表示画面Ａ０全体に表示することが可能である。特定画像Ａ３は、図６において、表示画面Ａ０全体を覆う斜線部分である。なお、特定画像Ａ３は、表示部１２の表示画面Ａ０全体に対応するサイズの画像であって、例えば濃度が薄い又は半透明のグレー又はブルーなどの配色が施された有色画像である。特定画像Ａ３は、表示画面Ａ０全体にＯＳＤ画像が表示されていることをユーザーに認識させることが可能な画像であればその態様はこれに限らない。また、表示処理部１３１は、前記操作制限範囲の設定後、入力画像が表示部１２に表示される際に、前記操作制限範囲よりも特定量だけ広い範囲を示す範囲操作用画像Ａ５をＯＳＤ画像として表示部１２に表示することも可能である。なお、前記ＯＳＤ画像として表示される特定画像Ａ３は、表示画面Ａ０の一部に表示されてもよい。
【００２９】
設定処理部１３２は、前記操作制限範囲をユーザー操作に応じて設定することが可能である。特に、設定処理部１３２は、表示部１２に表示されている入力画像Ａ１に重ねてＯＳＤ画像として表示される特定画像Ａ３に対するタッチ操作に応じて前記操作制限範囲を設定することが可能である。そして、設定処理部１３２は、前記操作制限範囲を特定可能な座標情報などを操作制限範囲情報として制御部１３の記憶部１３０に記憶させる。また、例えば、表示画面Ａ０の一部に前記ＯＳＤ画像が表示される場合、設定処理部１３２は、前記ＯＳＤ画像の移動、拡大、縮小などを行うためのユーザー操作によって前記操作制限範囲を設定することが考えられる。
【００３０】
制限判定処理部１３３は、表示部１２に対してタッチ操作が行われた場合にタッチコントローラー１１２から入力される操作情報と前記操作制限範囲情報とに基づいて、タッチ操作の位置が前記操作制限範囲内であるか否かを判定する。そして、制限判定処理部１３３は、タッチ操作が前記操作制限範囲内であるか否かの判定結果をタッチコントローラー１１２に入力する。これにより、タッチコントローラー１１２は、前記判定結果に基づいて、タッチ操作の位置が操作制限範囲内である場合は前記操作情報を情報処理装置２に出力し、操作制限範囲外である場合には操作情報を情報処理装置２に出力しないことが可能となる。また、制限設定処理部１３２で設定された前記操作制限範囲情報がタッチコントローラー１１２に入力され、当該タッチコントローラー１１２が、制限判定処理部１３３と同様の判定機能を有することも他の実施形態として考えられる。
【００３１】
信号処理部１３４は、情報処理装置２のような外部装置との間で画像データなどの信号を送受信するための処理を実行する。例えば、信号処理部１３４は、情報処理装置２から
入力される画像データをタッチパネル表示装置１で表示可能な形式の画像データに変換する処理を実行する。
【００３２】
なお、本実施形態では、タッチパネル部１１のタッチコントローラー１１２から情報処理装置２に前記操作情報が出力される場合を例に挙げて説明するが、制御部１３の信号処理部１３４がタッチコントローラー１１２から入力される前記操作情報を情報処理装置２に出力することも他の実施形態として考えられる。具体的に、信号処理部１３４は、制限判定処理部１３３による判定結果に基づいて、タッチ操作の位置が前記操作制限範囲内であるか否かに応じて前記タッチ操作に対応する操作情報の情報処理装置２への出力有無を切り替える。この場合、信号処理部１３４が制限処理部の一例である。
【００３３】
［操作制限設定処理］
ここで、図２を参照しつつ、制御部１３によって実行される操作制限設定処理の手順の一例について説明する。
【００３４】
＜ステップＳ１１＞
ステップＳ１１において、制御部１３は、予め設定された設定開始操作が行われたか否かを判断する。例えば、制御部１３は、表示部１２の表示画面Ａ０の下端部又は上端部がタッチ操作された場合に前記設定開始操作が行われたと判断する。また、制御部１３は、表示部１２の長押しタッチ操作、又は、表示部１２の表示画面Ａ０の外側から内側にスライドさせる操作が検出された場合に前記設定開始操作が行われたと判断してもよい。ここで、前記設定開始操作が行われたと判断されると（Ｓ１１：Ｙｅｓ）、処理がステップＳ１２に移行し、前記設定開始操作が行われたと判断されるまでの間は（Ｓ１１：Ｎｏ）、処理がステップＳ１１で待機する。
【００３５】
＜ステップＳ１２＞
ステップＳ１２において、制御部１３の表示処理部１３１は、メニュー画像Ａ２（図５参照）をＯＳＤ機能によって表示部１２にＯＳＤ画像として表示させると共に、当該メニュー画像Ａ２のＯＳＤ表示開始をタッチコントローラー１１２に通知する。その後、表示処理部１３１は、メニュー画像Ａ２の表示終了操作が行われた場合、又は所定時間経過後に、メニュー画像Ａ２を非表示にする。なお、入力画像Ａ１が表示されていない状態でメニュー画像Ａ２が表示されてもよい。
【００３６】
図５に示されるように、メニュー画像Ａ２には、各種の操作を受け付けるためのタッチキーＫ１〜Ｋ５が予め設定された位置座標で表示される。なお、図５では、表示部１２の下端部のタッチ操作に応じてメニュー画像Ａ２が表示部１２の下端部に表示されている場合が示されている。一方、表示部１２の上端部のタッチ操作に応じてメニュー画像Ａ２が表示部１２の上端部に表示されてもよい。この場合、表示部１２の上端部のタッチ操作に応じて表示されるメニュー画像Ａ２が、図５におけるメニュー画像Ａ２を１８０°回転させた画像となる。これにより、例えばタッチパネル表示装置１がテーブル型タッチディスプレイであり、表示部１２を挟んで対面形式で異なるユーザーが当該表示部１２を閲覧している場合に反対側に位置するユーザーがメニュー画像Ａ２の内容を容易に把握可能である。
【００３７】
タッチキーＫ１は、表示部１２における前記操作制限範囲の設定を開始するための制限設定開始操作を受け付けるための操作キーである。また、タッチキーＫ２及びタッチキーＫ３は、表示部１２における入力画像の表示の向きを所定量ずつ変更する回転操作を受け付けるための操作キーである。具体的に、タッチキーＫ２が反時計回りの回転操作、タッチキーＫ３が時計回りの回転操作を受け付けるための操作キーである。また、タッチキーＫ４及びタッチキーＫ５は、表示部１２における入力画像の表示サイズを所定量ずつ変更
するサイズ変更操作を受け付けるための操作キーである。具体的に、タッチキーＫ４が拡大操作、タッチキーＫ５が縮小操作を受け付けるための操作キーである。なお、タッチキーＫ１〜Ｋ５と同様の操作を受け付けるための操作ボタンがハードキーとして、タッチパネル表示装置１の表面、側面、又は裏面などに設けられることも他の実施形態として考えられる。
【００３８】
そして、タッチキーＫ１〜Ｋ５に対するタッチ操作がタッチパネル１１１によって検出されると、そのタッチ操作に対応する操作情報がタッチコントローラー１１２から制御部１３に入力される。これにより、制御部１３では、前記操作情報とタッチキーＫ１〜Ｋ５各々に対応して予め設定された位置座標とに基づいてタッチキーＫ１〜Ｋ５各々が操作されたことを判断することが可能である。一方、タッチコントローラー１１２には、メニュー画像Ａ２のＯＳＤ表示開始が通知されているため、当該メニュー画像Ａ２に対するタッチ操作に対応する操作情報は、タッチコントローラー１１２から制御部１３のみに入力され、情報処理装置２には出力されない。
【００３９】
＜ステップＳ１３＞
ステップＳ１３において、制御部１３は、予め設定された制限設定開始操作が行われたか否かを判断する。具体的に、制御部１３は、タッチキーＫ１が操作された場合に前記制限設定開始操作が行われたと判断する。ここで、前記制限設定開始操作が行われたと判断すると（Ｓ１３：Ｙｅｓ）、処理がステップＳ１４に移行し、前記制限設定開始操作が行われていないと判断すると（Ｓ１３：Ｎｏ）、処理はステップＳ１３で待機する。なお、メニュー画像Ａ２が非表示になると、処理は前記ステップＳ１１に戻される。また、ステップＳ１３で処理が待機している状態において、制御部１３は、タッチキーＫ２〜Ｋ５などの他のタッチキーの操作に応じた処理を実行するが、ここでは説明を省略する。
【００４０】
＜ステップＳ１４＞
ステップＳ１４において、制御部１３の表示処理部１３１は、表示部１２の表示画面Ａ０の全体に、予め設定された特定画像Ａ３をＯＳＤ機能によって入力画像Ａ１に重ねて表示すると共に、特定画像Ａ３のＯＳＤ表示開始をタッチコントローラー１１２に通知する。なお、入力画像Ａ１が表示されていない状態で特定画像Ａ３が表示されてもよい。これにより、タッチコントローラー１１２は、特定画像Ａ３が消去されるまでの間は、タッチパネル１１１に対するタッチ操作に対応する操作情報を制御部１３には入力するが、情報処理装置２には出力しないことになる。なお、特定画像Ａ３のサイズ又は位置などの情報は、前記通知時に制御部１３からタッチコントローラー１１２に入力され、或いは、予めタッチコントローラー１１２に登録されている。
【００４１】
ここに、図６は、特定画像Ａ３の表示状態の一例を示す図である。図６に示されるように、表示部１２の表示画面Ａ０上では、特定画像Ａ３が入力画像Ａ１の前方に重ねられた状態で表示画面Ａ０の全体に表示される。このとき、入力画像Ａ１は、特定画像Ａ３の背景に視認可能な状態で表示されている。
【００４２】
＜ステップＳ１５＞
ステップＳ１５において、制御部１３の設定処理部１３２は、前記操作制限範囲の指定操作を受け付けるための処理を実行する。例えば、設定処理部１３２は、表示部１２に対して任意の矩形領域を描画するための特定のドラッグアンドドロップタッチ操作が行われた場合に、当該矩形領域を操作制限範囲の指定操作として受け付ける。具体的に、前記特定のタッチ操作は、任意の位置をタッチ操作した後、そのタッチ操作が継続した状態でタッチ位置を移動させ、任意の位置でタッチ操作を終了する操作などである。
【００４３】
ここに、図７は、前記操作制限範囲の指定操作の一例を示す図である。図７に示される
ように、設定処理部１３２は、特定画像Ａ３が表示部１２の表示画面Ａ０全体にＯＳＤ画像として表示された状態で、前記操作制限範囲の指定操作を受け付ける。即ち、当該操作制限範囲の指定操作については、タッチコントローラー１１２から制御部１３のみに前記操作情報が入力され、情報処理装置２には出力されない。
【００４４】
例えば、図７に示されるように、任意の第１点Ｐ１のタッチ操作が行われた後、そのタッチ位置が任意の第２点Ｐ２までスライド移動してからタッチ操作が終了した場合、第１点Ｐ１及び第２点Ｐ２を対角線上の角部として形成される矩形領域が操作制限範囲として受け付けられる。なお、本実施形態において、タッチ操作の終了とは、タッチパネル１１１にタッチされている指又はタッチペンなどがタッチパネル１１１から離れることを意味する。ここで、設定処理部１３２は、第１点Ｐ１のタッチ操作が行われた後、そのタッチ操作が継続した状態でタッチ位置を移動させる操作が行われる場合に、前記操作制限範囲を示す制限範囲画像Ａ４を表示部１２に表示させる。制限範囲画像Ａ４は、例えばイエローなどの配色が施された矩形状の線画像である。なお、制限範囲画像Ａ４は、領域を示す画像として可視性があれば線画像に限らず、例えば有色透明画像などであってもよい。
【００４５】
その他、設定処理部１３２は、任意の第１点Ｐ１及び第２点Ｐ２が順にタッチ操作された場合に、第１点Ｐ１及び第２点Ｐ２を対角線上の角部として形成される矩形領域を操作制限範囲として受け付けてもよい。また、設定処理部１３２は、円、矩形、多角形などの任意形状の領域を描画するタッチ操作された場合に、その描画された領域を操作制限範囲として受け付けてもよい。
【００４６】
さらに、設定処理部１３２は、任意形状の領域が描画された場合、その任意形状が予め設定された円、矩形、又は多角形などの予め設定された基準形状に近似する場合に、任意形状の領域を当該基準形状の領域に補正することも考えられる。これにより、ユーザーが、例えば滑らかでない円、矩形、又は多角形を描画した場合でも、設定処理部１３２は、予め登録された滑らかな円、矩形、又は多角形の領域を操作制限範囲として受け付けることが可能である。なお、設定処理部１３２は、任意形状の領域が描画されているときは当該領域の軌跡を表示させず、当該任意形状の領域が補正された後に当該領域の輪郭を示す制限範囲画像Ａ４を表示させてもよい。
【００４７】
＜ステップＳ１６＞
ステップＳ１６において、制御部１３は、前記操作制限範囲の確定操作が行われたか否かを判断する。具体的に、制御部１３は、前記操作制限範囲が指定された場合に、当該操作制限範囲を確定するか否かを選択するための操作キーを表示させ、当該操作キーの選択に応じて前記操作制限範囲の確定操作の有無を判断する。また、前述したように第１点Ｐ１のタッチ操作が行われた後、そのタッチ操作が継続した状態でタッチ位置を移動させる操作で前記操作制限範囲が指定される場合は、タッチ操作の終了が当該操作制限範囲の確定操作と判断されてもよい。ここで、前記操作制限範囲の確定操作が行われたと判断されると（Ｓ１６：Ｙｅｓ）、処理がステップＳ１７に移行し、前記操作制限範囲の確定操作が行われるまでの間は（Ｓ１６：Ｎｏ）、処理がステップＳ１５に戻されて操作制限範囲の指定操作が受け付けられる。
【００４８】
＜ステップＳ１７＞
ステップＳ１７において、制御部１３の設定処理部１３２は、前記ステップＳ１５で指定された範囲を前記操作制限範囲として設定し、ＯＳＤ画像として表示されていた特定画像Ａ３を非表示にする。具体的に、設定処理部１３２は、前記ステップＳ１５で指定された範囲を特定可能な位置座標などの操作制限範囲情報を記憶部１３０に記憶させる。なお、ここでは説明を省略するが、設定処理部１３２は、前記ステップＳ１７で前記操作制限範囲が設定された後、予め設定されたキャンセル操作が行われた場合に、前記操作制限範
囲情報を記憶部１３０から消去して当該操作制限範囲の設定を取り消すことが可能である。
【００４９】
＜ステップＳ１８＞
ステップＳ１８において、制御部１３の表示処理部１３１は、前記操作制限範囲に対して予め設定された特定量だけ広い範囲を示す範囲操作用画像Ａ５をＯＳＤ画像として表示部１２に表示させると共に、当該範囲操作用画像Ａ５のＯＳＤ表示開始をタッチコントローラー１１２に通知する。なお、範囲操作用画像Ａ５は、領域を示す画像として可視性があれば線画像に限らず、例えば有色透明画像などであってもよい。なお、範囲操作用画像Ａ５は、前記操作制限範囲が設定された後、当該操作制限範囲の設定が取り消されるまで表示部１２上にＯＳＤ画像として表示される。また、表示処理部１３１は、範囲操作用画像Ａ５の位置情報を記憶部１３０にも記憶させる。なお、前記特定量は、前記操作制限範囲の近傍であって当該操作制限範囲内が誤って操作されない距離を確保する目的で予め設定された値である。また、範囲操作用画像Ａ５は、前記操作制限範囲の形状（制限範囲画像Ａ４）と相似関係にある。また、範囲操作用画像Ａ５の表示に伴い制限範囲画像Ａ４の表示が消去される。
【００５０】
なお、メニュー画像Ａ２のサイズ又は位置などの情報は、前記通知時に制御部１３からタッチコントローラー１１２に入力され、或いは、予めタッチコントローラー１１２に登録されている。これにより、タッチコントローラー１１２は、範囲操作用画像Ａ５に対するタッチ操作が行われた場合に、そのタッチ操作に対応する操作情報を制御部１３には入力するが、情報処理装置２には出力しないことになる。従って、ユーザーは、後述するように範囲操作用画像Ａ５のタッチ操作により前記操作制限範囲を変更することが可能であり、前記操作制限範囲内の意図しない操作情報が情報処理装置２に出力されない。
【００５１】
ここに、図８は、範囲操作用画像Ａ５の表示例を示す図である。なお、図８に示される範囲操作用画像Ａ５の内側の二点鎖線は前記操作制限範囲を示す。図８に示される例では、表示部１２の表示画面Ａ０上において、前記操作制限範囲よりも前記特定量だけ広い範囲を示す範囲操作用画像Ａ５が表示されている。なお、図８に示される例では、表示部１２の表示画面Ａ０上に制限範囲画像Ａ４が表示されていないが、当該制限範囲画像Ａ４が範囲操作用画像Ａ５と共に表示画面Ａ０に表示されていてもよい。また、範囲操作用画像Ａ５に代えて、制限範囲画像Ａ４が表示されることも他の実施形態として考えられる。
【００５２】
なお、前記操作制限範囲が、操作有効範囲ではなく操作無効範囲である場合には、範囲操作用画像Ａ５は、前記操作制限範囲に対して予め設定された特定量だけ狭い範囲を示す範囲操作用画像Ａ５であることも考えられる。これにより、範囲操作用画像Ａ５のタッチ操作により前記操作制限範囲を変更することが可能であり、前記操作制限範囲外の意図しない操作情報も情報処理装置２に出力されない。さらに、前記操作制限範囲として操作有効範囲及び操作無効範囲が選択可能な構成では、前記操作制限範囲が操作有効範囲である場合は前記操作制限範囲に対して前記特定量だけ広い範囲が表示され、前記操作制限範囲が操作無効範囲である場合は前記操作制限範囲に対して前記特定量だけ狭い範囲が表示されることが考えられる。
【００５３】
以上説明したように、タッチパネル表示装置１では、前記操作制限範囲が設定される際に、入力画像Ａ１に特定画像Ａ３がＯＳＤ画像として重ねて表示される状態で当該特定画像Ａ３に対するタッチ操作に応じて前記操作制限範囲が設定可能である。従って、ユーザーは、入力画像Ａ１との位置関係を把握しつつ所望の前記操作制限範囲を容易に設定することが可能である。
【００５４】
［タッチ操作処理］
次に、図３を参照しつつ、制御部１３によって実行されるタッチ操作処理の手順の一例について説明する。
【００５５】
＜ステップＳ２１＞
ステップＳ２１において、制御部１３は、タッチパネル１１１によりタッチ操作が検出されたか否かを判断する。前述したように、タッチコントローラー１１２は、タッチ操作が行われた場合には、前記操作制限範囲の設定に関係なく、そのタッチ操作に対応する操作情報を制御部１３に入力する。これにより、制御部１３は、タッチコントローラー１１２から操作情報を受信した場合にタッチ操作が検出されたと判断する。なお、タッチパネル表示装置１では、この時点でタッチコントローラー１１２から情報処理装置２には前記操作情報が出力されない。ここで、タッチ操作が検出されたと判断されると（Ｓ２１：Ｙｅｓ）、処理がステップＳ２２に移行し、タッチ操作が検出されるまでの間は（Ｓ２１：Ｎｏ）、処理が当該ステップＳ２１で待機する。
【００５６】
＜ステップＳ２２＞
ステップＳ２２において、制御部１３の制限判定処理部１３３は、前記操作情報と前記操作制限範囲の情報とに基づいて、当該操作情報に対応するタッチ操作のタッチ位置が前記操作制限範囲内であるか否かを判定する。ここで、タッチ操作のタッチ位置が前記操作制限範囲内であると判断されると（Ｓ２２：Ｙｅｓ）、処理がステップＳ２３に移行し、タッチ操作のタッチ位置が前記操作制限範囲外であると判断されると（Ｓ２２：Ｎｏ）、処理がステップＳ２４に移行する。
【００５７】
＜ステップＳ２３＞
ステップＳ２３において、制御部１３の制限判定処理部１３３は、前記ステップＳ２２における判定結果をタッチコントローラー１１２に入力する。これにより、タッチコントローラー１１２は、前記判定結果に基づいて、タッチ操作のタッチ位置が前記操作制限範囲内である場合は情報処理装置２に前記操作情報を出力し、タッチ操作のタッチ位置が前記操作制限範囲外である場合には情報処理装置２に前記操作情報を出力しない。即ち、タッチパネル表示装置１と情報処理装置２との関係では、前記操作制限範囲内におけるタッチ操作は有効であるが、前記操作制限範囲外におけるタッチ操作は無効となる。
【００５８】
＜ステップＳ２４＞
ステップＳ２４において、制御部１３は、前記操作制限範囲の変更を開始するための操作範囲変更開始操作が行われたか否かを判断する。具体的に、制御部１３は、前記操作情報と記憶部１３０に記憶されている範囲操作用画像Ａ５の位置情報とに基づいて、範囲操作用画像Ａ５上に対するタッチ操作が行われた場合に、前記操作範囲変更開始操作が行われたと判断する。なお、前記操作範囲変更開始操作が行われたと判断された場合であっても、範囲操作用画像Ａ５は、前記操作制限範囲の外側に表示されているため、当該範囲操作用画像Ａ５の操作結果は情報処理装置２には出力されない。ここで、前記操作範囲変更開始操作が行われたと判断されると（Ｓ２４：Ｙｅｓ）、処理がステップＳ２５に移行し、前記操作範囲変更開始操作が行われていなければ（Ｓ２４：Ｎｏ）、処理が前記ステップＳ２１に戻される。
【００５９】
＜ステップＳ２５＞
ステップＳ２５において、制御部１３の表示処理部１３１は、制限範囲画像Ａ４を表示部１２の表示画面Ａ０上に表示させる。ここに、図９は、範囲操作用画像Ａ５が操作時の表示例を示す図である。図９に示されるように、制御部１３の表示処理部１３１は、制限範囲画像Ａ４及び範囲操作用画像Ａ５を共に表示画面Ａ０上に表示させる。なお、制御部１３は、範囲操作用画像Ａ５が操作された後は、当該範囲操作用画像Ａ５を非表示とし、制限範囲画像Ａ４のみを表示画面Ａ０上に表示させてもよい。また、制限範囲画像Ａ４が
表示されないことも他の実施形態として考えられる。
【００６０】
＜ステップＳ２６＞
ステップＳ２６において、制御部１３は、制限範囲画像Ａ４を形状固定のまま制限範囲画像Ａ４全体のサイズの変更を開始するための第１サイズ変更操作が行われたか否かを判断する。具体的に、図９に示されるように、範囲操作用画像Ａ５が矩形である場合、制御部１３は、当該範囲操作用画像Ａ５の任意の角部Ｐ１１に対してタッチ操作が行われている場合に、前記第１サイズ変更操作が行われたと判断する。なお、範囲操作用画像Ａ５が円形である場合、制御部１３は、当該範囲操作用画像Ａ５上に対してタッチ操作が行われている場合に、前記第１サイズ変更操作が行われたと判断することが考えられる。ここで、前記第１サイズ変更操作が行われたと判断されると（Ｓ２６：Ｙｅｓ）、処理がステップＳ２７に移行し、前記第１サイズ変更操作が行われていないと判断されると（Ｓ２６：Ｎｏ）、処理がステップＳ２８に移行する。
【００６１】
＜ステップＳ２７＞
ステップＳ２７において、制御部１３の設定処理部１３２は、範囲操作用画像Ａ５に対して行われているタッチ操作のタッチ位置の移動操作に応じて、制限範囲画像Ａ４のサイズを形状固定で変更する。即ち、サイズ変更前後の制限範囲画像Ａ４は相似関係にある。例えば、設定処理部１３２は、制限範囲画像Ａ４が図９に示されるように長方形である場合、その長方形の縦横比（アスペクト比）を維持した状態で、最初のタッチ位置の角部Ｐ１１に対して対角線上の反対側の角部Ｐ１２を基準として固定し、制限範囲画像Ａ４の全体をタッチ位置の移動操作に応じて拡大又は縮小する。
【００６２】
＜ステップＳ２８＞
ステップＳ２８において、制御部１３は、制限範囲画像Ａ４の縦又は横の一方のサイズの変更を開始するための第２サイズ変更操作が行われたか否かを判断する。具体的に、図９に示されるように、範囲操作用画像Ａ５が矩形である場合、制御部１３は、当該範囲操作用画像Ａ５の任意の直線部Ｐ１３に対してタッチ操作が行われている場合に、前記第２サイズ変更操作が行われたと判断する。ここで、前記第２サイズ変更操作が行われたと判断されると（Ｓ２８：Ｙｅｓ）、処理がステップＳ２９に移行し、前記第２サイズ変更操作が行われていないと判断されると（Ｓ２８：Ｎｏ）、処理がステップＳ３０に移行する。
【００６３】
＜ステップＳ２９＞
ステップＳ２９において、制御部１３の設定処理部１３２は、タッチパネル１１１で検出されるタッチ位置の移動操作に応じて、制限範囲画像Ａ４のサイズを縦又は横の一方に変更する。即ち、サイズ変更前後の制限範囲画像Ａ４は相似関係にない。例えば、設定処理部１３２は、制限範囲画像Ａ４が図９に示されるように長方形である場合、その長方形の縦横比（アスペクト比）が維持せず、最初のタッチ位置の直線部Ｐ１３に対向する直線部Ｐ１４を基準として固定し、当該制限範囲画像Ａ４を縦又は横に拡大又は縮小する。
【００６４】
＜ステップＳ３０＞
ステップＳ３０において、制御部１３は、前記ステップＳ２７又はＳ２９で行われる制限範囲画像Ａ４のサイズ変更操作について変更確定操作が行われたか否かを判断する。具体的に、制御部１３は、制限範囲画像Ａ４を変更するために行われているタッチパネル１１１に対するタッチ操作が終了した場合に前記変更確定操作が行われたと判断する。ここで、前記変更確定操作が行われたと判断されると（Ｓ３０：Ｙｅｓ）、処理がステップＳ３１に移行し、前記変更確定操作が行われたと判断されるまでの間は（Ｓ３０：Ｎｏ）、処理が前記ステップＳ２６に戻される。
【００６５】
＜ステップＳ３１＞
ステップＳ３１において、制御部１３は、前記ステップＳ３０で変更確定操作が行われたと判断されたときの制限範囲画像Ａ４に基づいて前記操作制限範囲の設定を更新する。これにより、制限判定処理部１３３は、今後のタッチ操作については、更新後の前記操作制限範囲に基づいてタッチ操作の有効性が判断されることになる。
【００６６】
以上説明したように、タッチパネル表示装置１では、前記操作制限範囲が設定されると、通常の入力画像Ａ１の表示中にも前記操作制限範囲を示唆するための範囲操作用画像Ａ５が表示されることになる。そして、タッチパネル表示装置１では、範囲操作用画像Ａ５の操作によって前記操作制限範囲を変更することが可能である。従って、ユーザーは、一度設定した操作制限範囲を変更する際には、メニュー画像Ａ２の表示操作などを省略して、前記操作制限範囲の変更を容易に行うことができる。特に、範囲操作用画像Ａ５がＯＳＤ画像として表示されているため、前記操作制限範囲を縮小する際の変更操作時に前記操作制限範囲内がタッチ操作された場合であっても当該タッチ操作に対応する操作情報の情報処理装置２への出力が防止される。
【００６７】
［表示変更制御処理］
続いて、図４を参照しつつ、制御部１３によって実行される表示変更制御処理の手順の一例について説明する。
【００６８】
＜ステップＳ４１＞
ステップＳ４１において、制御部１３の表示処理部１３１は、表示部１２における入力画像Ａ１の表示の向きを回転させるための回転操作が行われたか否かを判断する。具体的に、表示処理部１３１は、メニュー画像Ａ２が表示された後、操作キーＫ２又は操作キーＫ３が操作された場合に、前記回転操作が行われたと判断する。ここで、前記回転操作が行われたと判断されると（Ｓ４１：Ｙｅｓ）、処理がステップＳ４２に移行し、前記回転操作が行われていないと判断されると（Ｓ４１：Ｎｏ）、処理がステップＳ４５に移行する。
【００６９】
＜ステップＳ４２＞
ステップＳ４２において、制御部１３の表示処理部１３１は、前記回転操作の内容に応じて、表示部１２における入力画像Ａ１の表示の向きを回転させる回転処理を実行する。例えば、表示処理部１３１は、操作キーＫ２が操作されるごとに、入力画像Ａ１の表示の向きを反時計回りに９０°だけ回転させる。また、表示処理部１３１は、操作キーＫ３が操作されるごとに、入力画像Ａ１の表示の向きを時計回りに９０°だけ回転させる。なお、入力画像Ａ１の回転処理は、操作部１２の操作画面Ａ０の中心を回転軸として行われる。また、入力画像Ａ１の回転中心がユーザー操作によって任意に指定可能であってもよい。
【００７０】
なお、表示処理部１３１は、入力画像Ａ１を前記回転処理によって回転させた場合、前記判定結果を通知するタイミング等の予め設定されたタイミングで、当該回転処理の内容をタッチコントローラー１１２に通知する。これにより、タッチコントローラー１１２は、入力画像Ａ１が前記回転処理によって回転されている場合には、その回転処理の内容に応じて前記操作情報の内容を変更して情報処理装置２に出力する。例えば、タッチコントローラー１１２は、入力画像Ａ１が１８０°回転されている場合には、前記操作情報が示す位置座標を１８０°回転させた位置座標に変換して情報処理装置２に出力する。
【００７１】
＜ステップＳ４３＞
ステップＳ４３において、制御部１３の設定処理部１３２は、前記操作制限設定処理で前記操作制限範囲が設定済みであるか否かを判断する。例えば、設定処理部１３２は、記
憶部１３０に前記操作制限範囲を示す操作制限範囲情報が記憶されている場合に、前記操作制限範囲が設定済みであると判断する。ここで、前記操作制限範囲が設定済みであると判断されると（Ｓ４３：Ｙｅｓ）、処理がステップＳ４４に移行し、前記操作制限範囲が設定済みでないと判断されると（Ｓ４３：Ｎｏ）、処理がステップＳ４５に移行する。
【００７２】
＜ステップＳ４４＞
ステップＳ４４において、制御部１３の設定処理部１３２は、前記ステップＳ４２で実行された入力画像Ａ１の回転に追従して前記操作制限範囲の設定を更新する。特に、設定処理部１３２は、入力画像Ａ１の回転に追従して前記操作制限範囲の位置及び範囲操作用画像Ａ５の位置を変更するための処理を実行する。具体的に、設定処理部１３２は、入力画像Ａ１の回転中心と同じ位置を中心に、当該入力画像Ａ１の回転角度と同じ角度だけ前記操作制限範囲を回転させる。例えば、前記操作制限範囲が矩形である場合、設定処理部１３２は、前記操作制限範囲における四点の角部の位置座標を、入力画像Ａ１の回転中心と同じ位置を中心に、当該入力画像Ａ１の回転角度と同じ角度だけ回転した位置に変更する。また、制御部１３は、範囲操作用画像Ａ５の位置も前記操作制限範囲と同様に変更する。
【００７３】
ここに、図１０は、入力画像Ａ１が図５に示された状態から１８０°回転された場合の表示例を示す図である。なお、図１０に示される範囲操作用画像Ａ５の内側の二点鎖線は前記操作制限範囲を示す。図１０に示されるように、入力画像Ａ１が図５に示された状態から１８０°回転したことに伴って、前記操作制限範囲及び操作用画像Ａ５も図５に示された状態から１８０°回転されている。これにより、入力画像Ａ１の表示の向きが変更された後も、入力画像Ａ１と前記操作制限範囲及び操作用画像Ａ５との位置関係が維持され、入力画像Ａ１において前記操作制限範囲として設定されていた特定の範囲についてのタッチ操作の有効性が確保される。
【００７４】
＜ステップＳ４５＞
ステップＳ４５において、制御部１３の表示処理部１３１は、表示部１２における入力画像Ａ１の表示サイズを変更するためのサイズ変更操作が行われたか否かを判断する。具体的に、表示処理部１３１は、メニュー画像Ａ２が表示された後、操作キーＫ４又は操作キーＫ５が操作された場合に、前記サイズ変更操作が行われたと判断する。また、表示処理部１３１は、前記回転処理によって入力画像Ａ１の表示の向きが回転されたことにより、当該入力画像Ａ１の表示サイズの自動変更（スケーリング）が必要になった場合にも前記サイズ変更操作が行われたと判断する。ここで、前記サイズ変更操作が行われたと判断されると（Ｓ４５：Ｙｅｓ）、処理がステップＳ４６に移行し、前記サイズ変更操作が行われていないと判断されると（Ｓ４５：Ｎｏ）、処理がステップＳ４１に戻る。
【００７５】
＜ステップＳ４６＞
ステップＳ４６において、表示処理部１３１は、前記サイズ変更操作の内容に応じて、表示部１２における入力画像Ａ１の表示のサイズを変更させるサイズ変更処理を実行する。具体的に、表示処理部１３１は、操作キーＫ４が操作されるごとに、入力画像Ａ１の表示サイズを表示部１２の表示画面Ａ０の中心を基準に、現在の表示サイズに対して＋２０％ずつ拡大させる。また、表示処理部１３１は、操作キーＫ５が操作されるごとに、入力画像Ａ１の表示サイズを表示部１２の表示画面Ａ０中心を基準に、現在の表示サイズに対して−２０％ずつ縮小させる。なお、当該サイズ変更処理では、拡大処理後の入力画像Ａ１の表示サイズが表示画面Ａ０の表示サイズを超える場合には、その超過領域が表示対象外となる。また、入力画像Ａ１のサイズ変更の基準となる位置はユーザー操作によって任意に指定可能であってもよい。
【００７６】
さらに、表示処理部１３１は、前記回転処理による回転処理によって表示画面Ａ０上に
おける入力画像Ａ１の縦横比率が変化する場合、その変化後の入力画像Ａ１の縦横比率に応じて当該入力画像Ａ１の表示サイズを自動的に拡大又は縮小させてもよい。例えば、表示画面Ａ０の縦方向のサイズに合わせた表示サイズで入力画像Ａ１が表示されている状態で、当該入力画像Ａ１の向きが９０°回転される場合には、表示画面Ａ０の横方向のサイズに入力画像Ａ１の全体が収まる倍率で入力画像Ａ１を表示させる。一方、表示画面Ａ０の横方向のサイズに合わせた表示サイズで入力画像Ａ１が表示されている状態で、当該入力画像Ａ１の向きが９０°回転される場合には、表示画面Ａ０の縦方向のサイズに入力画像Ａ１の全体が収まる倍率で入力画像Ａ１を表示させる。
【００７７】
＜ステップＳ４７＞
ステップＳ４７において、制御部１３の設定処理部１３２は、前記操作制限設定処理で前記操作制限範囲が設定済みであるか否かを判断する。例えば、設定処理部１３２は、記憶部１３０に前記操作制限範囲の設定情報が記憶されている場合に、前記操作制限範囲が設定済みであると判断する。ここで、前記操作制限範囲が設定済みであると判断されると（Ｓ４７：Ｙｅｓ）、処理がステップＳ４８に移行し、前記操作制限範囲が設定済みでないと判断されると（Ｓ４７：Ｎｏ）、処理が前記ステップＳ４１に戻る。
【００７８】
＜ステップＳ４８＞
ステップＳ４８において、設定処理部１３２は、前記ステップＳ４６で実行された入力画像Ａ１の表示サイズの変更に追従して前記操作制限範囲の設定を更新する。特に、設定処理部１３２は、入力画像Ａ１の表示サイズの変更に追従して前記操作制限範囲のサイズを変更するための処理を実行する。具体的に、設定処理部１３２は、入力画像Ａ１の表示サイズの変更時の中心と同じ位置を中心に、当該入力画像Ａ１の表示サイズの倍率と同じ倍率で前記操作制限範囲のサイズを拡大又は縮小する。
【００７９】
ここに、図１１は、タッチキーＫ２が操作されて入力画像Ａ１が図５に示された状態から左に９０°回転されることにより、入力画像Ａ１が自動的にスケーリング表示される場合の表示例を示す図である。なお、図１１に示される範囲操作用画像Ａ５の内側の二点鎖線は前記操作制限範囲を示す。図１１に示されるように、入力画像Ａ１が図５に示された状態から左に９０°回転したことに伴って、前記操作制限範囲及び操作用画像Ａ５も図５に示された状態から左に９０°回転されている。さらに、入力画像Ａ１の表示サイズが図５に示された状態からスケーリングされたことに伴って、前記操作制限範囲及び操作用画像Ａ５も図５に示された状態からスケーリングされている。これにより、入力画像Ａ１の表示の向き及びサイズが変更された後も、入力画像Ａ１と前記操作制限範囲及び操作用画像Ａ５との位置関係が維持され、入力画像Ａ１において前記操作制限範囲として設定されていた特定の範囲についてのタッチ操作の有効性が確保される。
【００８０】
以上説明したように、タッチパネル表示装置１では、設定処理部１３２が、表示部１２による入力画像Ａ１の表示サイズ又は表示の向きが変更された場合に、その変更に追従して前記操作制限範囲を自動的に変更する。従って、ユーザーは、入力画像Ａ１の表示サイズ又は表示の向きを変更する際に前記操作制限範囲を再設定する手間を省略することが可能である。
【００８１】
また、入力画像Ａ１の表示変更手法として、表示処理部１３１は、前記操作制限範囲内に対するダブルタップ操作などの特定操作が行われた場合に、入力画像Ａ１を前記操作制限範囲内に収まる倍率で当該入力画像Ａ１を縮小表示することが考えられる。但し、この場合、入力画像Ａ１全体が前記操作制限範囲内に収まるため、設定処理部１３２は、前記操作制限範囲のサイズを入力画像Ａ１の縮小表示に追従して変更しない。これにより、ユーザーは、入力画像Ａ１に対する操作を行う場合に、容易に入力画像Ａ１をタッチ操作が有効に処理される前記操作制限範囲内に収めて操作を行うことが可能である。
【００８２】
また、設定処理部１３２は、前記操作制限範囲内に対するダブルタップなどの特定操作が行われた場合に、入力画像Ａ１が前記操作制限範囲内に収まる倍率で当該操作制限範囲を拡大することも他の実施形態として考えられる。この場合も、入力画像Ａ１全体が前記操作制限範囲内に収まるため、設定処理部１３２は、前記操作制限範囲のサイズを入力画像Ａ１の縮小表示に追従して変更しない。これにより、ユーザーは、入力画像Ａ１に対する操作を行う場合に、容易に入力画像Ａ１をタッチ操作が有効に処理される前記操作制限範囲内に収めて操作を行うことが可能である。
【００８３】
ところで、設定処理部１３２は、前記操作制限範囲として、表示部１２の表示内容に関する操作を制限対象とする第１操作制限範囲と、表示部１２に対する描画操作を制限対象とする第２操作制限範囲とを選択的に設定可能な構成も他の実施形態として考えられる。具体的に、前記第１操作制限範囲は、表示部１２に表示される入力画像Ａ１の拡大、縮小、回転、頁送り、スクロールなどの操作に用いられる。例えば、タッチパネル１１１が多点同時操作を検出可能な静電容量方式などである場合、前記第１操作制限範囲では、ユーザーの２本の指を用いたマルチタッチ操作により入力画像Ａ１の表示態様の変更操作が行われる。また、前記第２操作制限範囲は、例えばタッチペンを用いたテキスト入力、又は図形描画などの操作に用いられる。この場合、表示処理部１３１は、前記第１操作制限範囲及び前記第２操作制限範囲各々に対応する範囲操作用画像Ａ５を配色又は線種別などが異なる態様で識別可能に表示部１２に表示する。そして、この場合、設定処理部１３２は、表示部１２に表示されている入力画像Ａ１の表示サイズ又は表示の向きの変更操作が行われた場合に、その変更操作に追従して、前記第２操作制限範囲は変更するが、前記第１操作制限範囲は変更しないことが考えられる。これにより、入力画像Ａ１の表示サイズ又は表示の向きが変更されても、表示部１２の表示内容に関する操作に用いられる第１操作制限範囲については位置が固定されるため、ユーザーは、当該第１操作制限範囲を使用した操作を常に同じ位置で行うことが可能である。
【００８４】
さらに、設定処理部１３２が、表示部１２に表示されている入力画像Ａ１のスクロール操作又は移動操作に追従して前記操作制限範囲を変更可能な構成も他の実施形態として考えられる。具体的に、表示処理部１３１は、表示部１２に対するスクロール操作又は移動操作に応じて入力画像Ａ１のスクロール表示又は移動表示が可能であることが考えられる。そして、設定処理部１３２は、設定処理部１３２によって前記操作制限範囲が設定されたときに当該操作制限範囲内に表示されていた制限対象画像を記憶部１３０に記憶する。その後、設定処理部１３２は、表示部１２に対するスクロール操作又は移動操作が行われ、入力画像Ａ１のスクロール表示又は移動表示が行われた場合、表示処理部１３１により表示部１２に表示されている入力画像Ａ１において前記制限対象画像と一致する領域を前記操作制限範囲として設定する。これにより、入力画像Ａ１についてスクロール表示又は移動表示が行われた場合であっても、当該入力画像Ａ１と前記操作制限範囲との位置関係が維持され、ユーザーが前記操作制限範囲を再設定する手間を省略することができる。
【符号の説明】
【００８５】
１      タッチパネル表示装置
１１    タッチパネル部
１１１  タッチパネル
１１２  タッチコントローラー
１２    表示部
１３    制御部
１３１  表示処理部
１３２  設定処理部
１３３  制限判定処理部
１３４  信号処理部
２      情報処理装置
Ａ０    表示画面
Ａ１    入力画像
Ａ２    メニュー画像
Ａ３    特定画像
Ａ４    制限範囲画像
Ａ５    範囲操作用画像
【図１】
2019087187.tif 000003
【図２】
2019087187.tif 000004
【図３】
2019087187.tif 000005
【図４】
2019087187.tif 000006
【図５】
2019087187.tif 000007
【図６】
2019087187.tif 000008
【図７】
2019087187.tif 000009
【図８】
2019087187.tif 000010
【図９】
2019087187.tif 000011
【図１０】
2019087187.tif 000012
【図１１】
2019087187.tif 000013